(57)【特許請求の範囲】
【請求項１】
化粧芯を有する化粧用ペンシルが装着脱可能に装着されるホルダ部と、
該ホルダ部に設けられた固定部に固定されており、前記化粧芯の先端部分を削るのに用いる削り部と、
該削り部を使用する際、使用者に把持される把持部とを有しており、
前記削り部を刃物部と芯台が形成された構成とすると共に、
該刃物部を前記ホルダ部の長手方向中心線と平行に位置するよう構成し、かつ、前記芯台の前記化粧芯を当てる上面に対して前記刃物部の刃部分が上方に位置するよう構成したことを特徴とする化粧芯用削り器。
【請求項２】
請求項１記載の化粧芯用削り器において、
前記固定部に対して該ホルダ部の配設側と反対側の位置に前記削り部を配設したことを特徴とする化粧芯用削り器。
【請求項３】
請求項２記載の化粧芯用削り器において、
該ホルダ部と該把持部を一体化したことを特徴とする化粧芯用削り器。
【請求項４】
請求項２または３記載の化粧芯用削り器において、
前記削り部を覆うキャップを設けたことを特徴とする化粧芯用削り器。
【発明の詳細な説明】
【０００１】
【発明の属する技術分野】
本発明は、化粧芯用削り器に係り、特に化粧芯を繰り出して使用するアイブロー、アイライナー等に装着されるホルダ部と、先端部分を削る削り部とを有する化粧芯用削り器に関する。
【０００２】
【従来の技術】
繰り出し式の化粧料用ペンシルなどの芯は柔らかく、使用に伴い、先端形状が減ってくるため、使用し易くする為にその先端部分を削る化粧芯用の削り器が必要となる。また、化粧芯とは別個に化粧芯用の削り器を携帯するのは不便なため、先端部分を削る削り器本体とホルダを一体化し、化粧芯に装着し得るよう構成された削り器も提供されている。その削り器の半断面を図５に示している。図５に示す削り器本体１８は、削り部１７、固定部２０、把持部１９、ホルダ部５、化粧用ペンシル２で構成されている。
【０００３】
従来、この削り器本体１８に設けられた削り部１６は、回転運動により円錐形に削れるように構成されている。その削り部１６は、削り器本体１８と刃物部１７と使用者が把持する把持部１４で構成されている。削り器本体１８は化粧芯１２の先端部分１３の形状を円錐形にするためにその円錐形の表面に沿った形状をしている。刃物部１７はその削り器本体１８の形状である円錐形の側面に対して内側に傾けた位置にあり、また、削り器本体１８の円錐形表面に対し、段差を有するように形成されている。
【０００４】
把持部１９は刃物部１７を有した削り器本体１８と接続されている。この、把持部１９は削り部本体を固定する固定部２０として機能すると共に、使用時において使用者に把持される部位である。実際の動作としては、使用者が把持部１９を把持し、化粧芯１２の先端部分１３を削り部に押し当てながら回転させることにより、化粧芯１２の削りかすが、削り部１６と刃物部１７の段差部分から排出され、その先端部分１３の芯が円錐形に形成され、化粧芯１２が削る前より露出する。
【０００５】
また、図５のように、削り部１６と固定部２０はホルダ部１５の内部に設置されている。したがって、把持部１９がホルダ部１５の外部に位置し、把持部１９のみが把持する部分になる。
【０００６】
【発明が解決しようとする課題】
上記のように、従来の化粧料用ペンシルを備えた化粧芯用削り器は一定の形状のみで化粧芯を削り出しており、化粧芯を利用し易いように化粧芯の太さや形状を変形させることができない。また、より利用し易くするために化粧芯の先端に平坦面を設けることはできず、一旦削り器で削った後に、再び別の削り器を使用し、平坦面を形成しなければならないという不便さがあった。
【０００７】
一方、削り器の使用性及び携帯性の注目すると、使用性を向上させる点からは、把持部を長くしたほうがよい。しかし、把持部に十分な長さを設けた場合、化粧料用ペンシルと化粧芯用削り器を併せた全体長が長くなり携帯性に欠けることになる。また、携帯性の向上を図る点から、把持部を短くした場合には、削り部本体にかかる力を受け止めにくくなり、即ち削り器全体が不安定になり化粧芯の先端部分が削りにくく、また化粧芯は柔らかいため、上記の不安定さから折れる可能性もある。
【０００８】
本発明は上記課題を解決することを目的としてなされたもので、化粧芯の先端部に平坦部分を作成できるように刃物部の配置と削り部本体の形状を新たに設け、また化粧芯のホルダ部と把持部を一体化させて把持する部分に十分な長さを保ち、かつ、ペンシルの全体長を短くし、携帯性の向上を図り得る化粧芯用削り器を提供することを目的とする。
【０００９】
【課題を解決するための手段】
上記課題は、本発明による以下の手順により解決することができる。
請求項１記載の発明に係る化粧芯用削り器は、
化粧芯を有する化粧用ペンシルが装着脱可能に装着されるホルダ部と、
該ホルダ部に設けられた固定部に固定されており、前記化粧芯の先端部分を削るのに用いる削り部と、
該削り部を使用する際、使用者に把持される把持部とを有しており、
前記削り部を刃物部と芯台が形成された構成とすると共に、
該刃物部を前記ホルダ部の長手方向中心線と平行に位置するよう構成し、かつ、前記芯台の前記化粧芯を当てる上面に対して前記刃物部の刃部分が上方に位置するよう構成したことを特徴とするものである。
また、請求項２記載の発明は、
請求項１記載の化粧芯用削り器において、
前記固定部に対して該ホルダ部の配設側と反対側の位置に前記削り部を配設したことを特徴とするものである。
また、請求項３記載の発明は、
請求項２記載の化粧芯用削り器において、
該ホルダ部と該把持部を一体化したことを特徴とする化粧芯用削り器。
また、請求項４記載の発明は、
請求項２または３記載の化粧芯用削り器において、
前記削り部を覆うキャップを設けたことを特徴とするものである。
【００１３】
【発明の実施の形態】
以下、図１から図５を参照して、本発明の実施例を説明する。
図１は、本発明の一実施例である化粧芯用削り器１と、その化粧芯用削り器１に装着された化粧用ペンシル２を示している。同図において、化粧用ペンシル２は化粧芯１２とペンシル本体２ａとブラシ３より構成されている。また、化粧用ペンシルは化粧用ペンシル２の化粧芯１２の露出している先端部１３に化粧芯用削り器１が装着され、これと反対側の端部にブラシ用キャップ２１が着脱可能に装着されている。化粧芯１２は、眉を剃刀などで形を整えたあと好みの形に描いたり、濃くしたり、明るくするために用いるアイブローや、目の印象を強くするために、睫毛の上下の生え際沿いに細い筆でラインを引くアイライナーなどがある。この化粧芯１２は、使用するにつれ、芯が減るため、化粧芯１２を削り出す必要がある。この削り出しを行なうには、化粧用ペンシル２の先端部１３に設けられた化粧芯用削り器１をペンシル本体２ａから取り外し、化粧芯用削り器１に備え付けられた削り部５（図２に示す）を用いて化粧芯１２を削る。
【００１４】
ここで、化粧芯用削り器１の内部構成を図２に拡大して示し、以下詳述する。
図２において、化粧芯用削り器１は、削り部５と固定部６と把持部８とキャップ９とで構成されている。また、固定部６と把持部８を併せてホルダ部７としている。
削り部５は刃物部４と芯台１４が形成されている。刃物部４は化粧芯１２を削る部位である。芯台１４は化粧芯１２を削る場合に、化粧芯１２を当てて調節する部位である。そして、削り部５は固定部６で把持部８と固定されている。ここでは、削り部５の刃物部４と芯台１４は同素材で形成している。また、削り部５は、固定部６に対してホルダ部７の配置側と反対側の位置に配設されている。固定部６は削り部５と把持部８を固定する部位である。ホルダ部７は、削り部５を備え、化粧用ペンシル２の先端部分１３を保護し、かつ把持する役割を有する。把持部８は、ホルダ部７の一部であるため、前記のホルダ部７の機能とほぼ同様であり、化粧用ペンシル２の先端部分１３を保護し、かつ把持する役割を有する。キャップ９は、削り部５をホルダ部７と反対側に配設したことに伴い、削り部５を覆うために固定部６に装着されている。
【００１５】
図２に示すように、削り部５が固定部６に対してホルダ部７の配置側と反対側の位置に配設されることにより、ホルダ部７の内部に削り部５を配置する場合より、ホルダ部７の全体が化粧用ペンシル２の方向へ配置が移動する。即ち、ホルダ部７の全体長が変化しない場合でも、化粧用ペンシル２と化粧芯用削り器１を併せた全体長は短くなる。よって、携帯性が向上する。
【００１６】
また、ホルダ部７が把持部８と一体化することにより、把持する部分が長くなる。よって、化粧芯１２を削る場合に把持部８を把持し易くなることで、把持部８及び削り部５をより固定でき、削り易くなる。従って、使用性が向上する。
また、上記のように削り部５をホルダ部７の反対側に設置することで、ホルダ部７の外部に位置し、削り部５が剥き出しになってしまう。削り部５は刃物部４を有し、剥き出しでは携帯に不便を生じる場合があるのと同時に、刃物部４を保護するために、削り部５を覆うキャップ９を設けている。
【００１７】
ここで、削り部５において、以下に詳述する。この削り部５の拡大図及び使用例を図３に示す。
図３において、削り部５の構成は前記に示した通りである。上記刃物部４は、化粧芯１２を削る部位であり、芯台１４は刃物部４と対向する位置に設ける。また、化粧芯１２を削る場合に、化粧芯１２を当てて固定し、削り易くするために設けられている。また、刃物部４は、ホルダ部７の長手方向線と平行に位置し、かつ、芯台１４の芯を当てる上面に対して上方に刃物部４の刃部分が位置するような傾斜を形成している。この刃物部４と芯台１４の視断面図を図４に示す。図４は図２のＡ−Ａ´の視断面図である。
【００１８】
次に、実際の使用方法について以下に記述する。
まず、化粧芯１２を削る場合、使用者は把持部８を把持し、化粧芯１２を刃物部４と芯台１４に化粧芯１２を当て、化粧芯１２の長手方向の前方又は後方に直線移動させて化粧芯１２を削る。この状態の先端部分１３と刃物部５を図３及び図４に示す。
【００１９】
このとき、後方の直線移動の場合のみ刃物部４に接触させることで、刃物部４の刃部分から化粧芯１２が削られる。また、芯台１４は化粧芯１２を削る時に、化粧芯１２と接触又は不接触させて利用する。これは、化粧芯１２の形状の幅や厚み、面の形状を調節するためである。化粧芯１２の形状とは幅広や幅狭の平坦面である。平坦面を形成することで、太い線や細い線を描くことができ、化粧芯１２で描く線の太さを調節することができる。
【００２０】
【発明の効果】
本発明によれば、削り部とホルダ部を設けた化粧芯用削り器において、削り部に備わった刃物部をホルダ部の長手方向中心線と平行に位置し、化粧芯を直線移動で削ることにより、化粧芯の形状の調節が可能となる。よって、使用性の向上を図ることができる。
【図面の簡単な説明】
【図１】本発明の実施例の化粧料用ペンシルを備えた化粧芯用削り器の全体図を示す。
【図２】化粧芯用削り器の半断面図を示す。
【図３】本発明の実施例における刃物部の斜視図を示す。
【図４】図２のＡ−Ａ´の視断面図を示す。
【図５】従来の化粧芯用削り器の半断面図を示す。
【符号の説明】
１  化粧芯用削り器
２  化粧用ペンシル
２ａ  ペンシル本体
３  ブラシ
４  刃物部
５  削り部
６  固定部
７  ホルダ部
８  把持部
９  キャップ
１２  化粧芯
１３  先端部
１４  芯台
【図１】
0003805924.tif 000002
【図２】
0003805924.tif 000003
【図３】
0003805924.tif 000004
【図４】
0003805924.tif 000005
【図５】
0003805924.tif 000006